(57)【要約】      （修正有）【課題】ユーザからの静電気が筐体内に入ることを防止できる自転車用照明装置を提供する。【課題手段】自転車用照明装置は、光源２４、採光孔３９を有する筐体、筐体の採光孔３９からの光を受光可能に筐体内に配置される受光素子２６、および、ユーザからの静電気を受けることによって静電気が採光孔３９を介して筐体内に入ることを防止するために筐体外に設けられる受電部３２ｃを備える。【選択図】図２
0003176192.tif 000002
【実用新案登録請求の範囲】
【請求項１】
光源、
採光孔を有する筐体、
前記筐体の前記採光孔からの光を受光可能に前記筐体内に配置される受光素子、および
ユーザからの静電気を受けることによって前記静電気が前記採光孔を介して前記筐体内に入ることを防止するために前記筐体外に設けられる放電部材を備える、自転車用照明装置。
【請求項２】
少なくとも前記受光素子が設けられる基板をさらに備え、
前記採光孔の中心点から放電部材までの最短距離が、前記採光孔の中心点から前記基板までの最短距離よりも小さい、請求項１に記載の自転車用照明装置。
【請求項３】
前記採光孔を開閉するためにユーザが操作可能に前記筐体に設けられる開閉部材をさらに備え、
前記放電部材は前記開閉部材に近接して設けられる、請求項１または２に記載の自転車用照明装置。
【請求項４】
前記放電部材は、ユーザが前記開閉部材を操作する際に前記放電部材に触れるように設けられる、請求項３に記載の自転車用照明装置。
【請求項５】
前記放電部材は、前記採光孔に近接して配置される受電部と、自転車のフレームに前記筐体を取り付けるための取り付け部とを含む、請求項１に記載の自転車用照明装置。
【請求項６】
前記受電部と前記取り付け部とは互いに直交するように延びる、請求項６に記載の自転車用照明装置。
【請求項７】
前記放電部材は板状部材からなる、請求項１から６のいずれかに記載の自転車用照明装置。
【請求項８】
前記受光素子からの信号に基づいて前記光源をオンオフするための制御回路をさらに備える、請求項１に記載の自転車用照明装置。
【請求項９】
前記受光素子と前記制御回路とが設けられる基板をさらに備える、請求項８に記載の自転車用照明装置。
【考案の詳細な説明】
【技術分野】
【０００１】
本考案は、照明装置、特に周囲の明るさに応じてオンオフする自転車用照明装置に関する。
【背景技術】
【０００２】
自転車のフロントランプ（自転車照明装置の一例）の筐体に設けられた採光孔を塞ぐ開閉部材を操作することによって、当該フロントランプを、自転車走行中に常時オンにするか、周囲の明るさに応じて自動でオンオフするかを調整する自転車用照明装置が従来知られている（例えば、特許文献１参照）。従来の照明装置は、筐体の底面に照度検出用の採光孔が配置され、採光孔に対向するように筐体の内部に光センサ（受光素子の一例）が配置される。
【先行技術文献】
【特許文献】
【０００３】
【特許文献１】特許第３１４５６３３号
【考案の概要】
【考案が解決しようとする課題】
【０００４】
上述の従来技術では、ユーザが開閉部材を指で操作する際にユーザに帯電した静電気が採光孔から筐体内に入り、筐体内の電子部品に悪影響を与えるおそれがあった。
【０００５】
本考案は、上述の課題に鑑みて、ユーザからの静電気が筐体内に入ることを防止できる自転車用照明装置を提供することを目的とする。
【課題を解決するための手段】
【０００６】
上記の課題を解決するための自転車用照明装置は、光源、採光孔を有する筐体、筐体の採光孔からの光を受光可能に筐体内に配置される受光素子、およびユーザからの静電気を受けることによって静電気が採光孔を介して筐体内に入ることを防止するために筐体外に設けられる放電部材を備える。
【０００７】
前述の自転車用照明装置は、少なくとも受光素子が設けられる基板をさらに備え、採光孔の中心点から放電部材までの最短距離が、採光孔の中心点から基板までの最短距離よりも小さいとよい。
【０００８】
前述の自転車用照明装置は、採光孔を開閉するためにユーザが操作可能に筐体に設けられる開閉部材をさらに備え、放電部材は開閉部材に近接して設けられるとよい。さらに、前述の放電部材は、ユーザが開閉部材を操作する際に放電部材に触れるように設けられるとよい。
【０００９】
前述の放電部材は、採光孔に近接して配置される受電部と、自転車のフレームに筐体を取り付けるための取り付け部とを含むとよい。さらに、受電部と取り付け部とは互いに直交するように延びるとよい。
【００１０】
前述の放電部材は、板状部材からなるとよい。
【００１１】
前述の自転車用照明装置は、受光素子からの信号に基づいて光源をオンオフするための制御回路をさらに備えるとよい。さらに、前述の自転車用照明装置は、受光素子と制御回路とが設けられる基板をさらに備えるとよい。
【考案の効果】
【００１２】
本考案によれば、ユーザからの静電気が筐体内に入ることを防止できる自転車用照明装置を提供することができる。
【図面の簡単な説明】
【００１３】
【図１】本考案の一実施形態が採用された自転車の側面図。
【図２】本考案の一実施形態による自転車用照明装置であるフロントランプの断面図。
【図３】本考案の一実施形態による自転車用照明装置であるフロントランプの側面図。
【図４】本考案の一実施形態による自転車用照明装置であるフロントランプの底面図。
【考案を実施するための形態】
【００１４】
＜第１の実施形態＞
図１を参照して、本考案の一実施形態を採用した自転車１０１は、フロントフォーク１０２ａを有するフレーム１０２と、ハンドル１０４と、チェーンやペダル等からなる駆動部１０５と、スポーク９９及びリム１００を有する前輪（車輪）１０６と、後輪１０７とを備える。この自転車１０１の前輪１０６は発電ハブ１０を有する。発電ハブ１０からの電力が本考案の一実施形態による自転車用照明装置であるフロントランプ１４に電力線１３を介して供給される。
【００１５】
フロントランプ１４は、フロントフォーク１０２ａのランプステイ１０２ｂに装着される。図２から図４に示すように、フロントランプ１４は、筐体２０を有する。筐体２０の底面かつ後部には筐体２０内に光を案内するための採光孔３９が形成される。なお、この実施形態において、上下および前後左右は、ユーザ（搭乗者）が自転車１０１にそのハンドル１０４に向かって搭乗した状態での上下および前後左右を意味する。
【００１６】
また、フロントランプ１４は、筐体２０に装着されるレンズ部材２２と、筐体２０の内部に配置される少なくとも一つの発光ダイオード（以下、ＬＥＤと記す）５０を有する光源２４と、レンズ部材２２に向けて発光部２６の光を反射する反射部材２８と、採光孔３９の周辺に配置された開閉部材３０と、筐体２０の内部に採光孔３９からの光を受光可能に配置される受光素子２６および受光素子２６からの信号に基づいて光源２４をオンオフするためのオンオフ制御回路（図示せず）を含む基板４４とを有する。
【００１７】
図２及び図３に示すように、筐体２０にはランプステイ１０２ｂに固定可能なブラケット（装着部材の一例）３２が設けられる。
【００１８】
ブラケット３２は、金属板材を折り曲げて形成される。ブラケット３２は、ボルト３８によってランプステイ１０２ｂに装着されるアーム部３２ａと、アーム部３２ａから略直角に折れ曲がる固定部３２ｂとを有する。固定部３２ｂは、たとえばリベット３６（図２）によって筐体２０の底面に固定される。また、ブラケット３２は、アーム部３２ａから略直角に折れ曲がり固定部３２ｂと略平行に延びる受電部３２ｃを有する。受電部３２ｃは、採光孔３９に近接する位置に設けられる。この実施形態では、ブラケット３２が放電部材に相当する。
【００１９】
採光孔３９の中心点から受電部３２ｃまでの最短距離Ｄ３（図４参照）が、採光孔３９の中心点から基板４４までの最短距離Ｄ４（図２参照）よりも小さく設定される。これによって、ユーザからの静電気が受電部３２ｃに案内され、採光孔３９を介して筐体２０内に入ることを防止できる。
【００２０】
筐体２０は、たとえば、ＡＢＳ（アクリロニトリル・ブタジエンスチレン）樹脂等のポリスチレン系の合成樹脂製の部材である。図２から図４に示すように、筐体２０は、収容空間４１が内部に形成される本体部４０と、本体部４０の正面に配置される開口４２と、を有する。本体部４０は、受光素子２６や受光素子２６の出力に応じてＬＥＤ５０をオンオフするオンオフ制御回路（図示せず）などを含む基板４４がその内部に配置される第１ケース部分４０ａと、光源２４が収納される第２ケース部分４０ｂとを有する。第１ケース部分４０ａは、略長円形の横長に形成される。第２ケース部分４０ｂは、第１ケース部分４０ａから急激に碗状に先拡がりに形成され、かつ光源２４の光軸に直交する断面が略円形に形成される。
【００２１】
本体部４０は、収納空間４１において略均一の厚みで形成される。本体部４０の底部には、２つの段差部４０ｃ，４０ｄが形成される。段差部４０ｃは、第１ケース部分４０ａの後部に配置され、他の部分よりも凹んで形成される。この段差部４０ｃに、受光素子２６に光を導入するための採光孔３９が形成される。従って採光孔３９は、フロントランプ１４が自転車１０１に装着された場合に下向きに配置され、前後左右からの光が採光孔３９を介して筐体２０内に入射しにくくなる。採光孔３９は透明な円形のカバー部材（図示せず）によって封止されていてもよい。段差部４０ｄは、第１ケース部分４０ａの前部に配置されており、他の部分よりも突出して形成されている。段差部４０ｄには、ブラケット３２の固定部３２ｂがリベット３６によって固定される。
【００２２】
本体部４０の内部に形成された収納空間４１は、光源２６を支持する支持部材６２によって、第１ケース部分４０ａと第２ケース部分４０ｂとの境界付近で、第１空間４１ａと第２空間４１ｂとの２つの空間に区画される。
【００２３】
開口４２は、第２ケース部分４０ｂの正面に形成された略円形の開口であり、フロントランプ１４の前面に位置する。この開口４２にレンズ部材２２が装着される。レンズ部材２２は、たとえば透明なアクリル樹脂やポリカーボネートなどの透光性を有する合成樹脂製であり、開口４２を覆うように形成された円形の凸レンズを有する。なお、レンズ部材２２は、透光性を有していればよく、透明ではなく色付けされたものでもよい。レンズ部材２２は、筐体２０の前面にねじによって固定される。
【００２４】
光源２４は、発光するものであればどのようなものでもよい。例えば、光源２４は、発光ダイオード、電球、蛍光灯などのものであるとよい。
【００２５】
受光素子２６は、たとえば、光学フィルターを用いたフォトＩＣダイオード型のフォトセンサであり、入射した光の照度（光量）に応じた電気信号を出力する。
【００２６】
反射部材２８は、たとえば、ＡＢＳ（アクリロニトリル・ブタジエンスチレン）樹脂等のポリスチレン系の合成樹脂製の部材である。反射部材２８はレンズ部材２２を筐体２０にねじ止めすることによって支持部材６２を介して筐体２０に固定される。
【００２７】
開閉部材３０は、図４に示すように、採光孔３９より大きな面積を有しており、ブラケット３２の固定部３２ｂから採光孔３９の中心軸Ｘに対して対称となるように形成されている。開閉部材３０は、ユーザの操作によって、ガイドレール３１に沿ってＸ軸方向に移動可能である。周囲の明るさに応じて自動でフロントランプ１４のオンオフの調整を行う場合、開閉部材３９は採光孔３９を塞がない位置に配置される。一方、自転車走行中にフロントランプ１４を常時オンにする場合、開閉部材３９は採光孔３９を完全に塞ぐ位置に配置される。図４は、周囲の明るさに応じて自動でフロントランプ１４のオンオフの調整を行う場合の開閉部材３０の位置を示している。ユーザは、この開閉部材３９を指で動かすことによって、フロントランプ１４を、自転車走行中に常時オンにするか、周囲の明るさに応じて自動でオンオフするかを設定できる。
【００２８】
なお、図２から図４に示されるように、ユーザが開閉部材３０を動かす際にユーザの指が受電部３２ｃに接触するように、開閉部材３０に近接して受電部３２ｃが設けられる。このため、開閉部材３０の横幅D１と開閉部材３０と受電部３２ｃとの距離D２との和はユーザの指の太さに比べて小さいことが望ましい。
【００２９】
このように構成されたフロントランプ１４では、ユーザが開閉部材３０を動かす際にユーザの指が受電部３２ｃに接触しやすくなる。これによって、ユーザが静電気を帯びていたとしても、ユーザからの静電気は、受電部３２ｃに向けて放電される。したがって、ユーザからの静電気が採光孔３９を介して筐体２０に入りにくくなり、筐体２０内の電子部品に静電気の悪影響が与えられにくくなる。
【００３０】
さらに、採光孔３９の中心点から受電部３２までの最短距離D３は、採光孔３９の中心点から基板４４までの最短距離D４（図２参照）よりも小さく形成されているため、ユーザの指が採光孔３９付近にあっても、ユーザからの静電気は、基板４４ではなく、受電部３２ｃに向けて放電される。したがって、ユーザからの静電気が基板４４におよびにくくなり、基板４４に静電気の悪影響が与えられにくくなる。
【００３１】
＜変形例＞
本考案の具体的な構成は、前述の実施形態に限られるものではなく、考案の要旨を逸脱しない範囲で種々の変更および修正が可能である。なお、以降の説明では、説明されない部材は、前記実施形態と同様な部材である。
【００３２】
また、前記実施形態で示された筐体２０の各部品の形状、および、部品間の取り付け位置、取り付け方法は、受電部３２、採光孔３９、及び、受光素子２６の位置関係、採光孔３９及び開閉部材３０の大きさを除いて任意である。したがって、例えば、固定部３２ｂはアーム部３２ａから折り曲げられたものでなく、固定部３２ｂが本体部４０の側面に取り付けられたものであってもよい。
【００３３】
また、前記実施形態で示された開閉部材３０は、ガイドレール３１によって移動するものについて説明したが、特許文献１に示されたような支軸を介して回動するものであってもよい。
【００３４】
また、上述の実施形態では、フロントランプ１４を自転車１０１に取り付けるためのブラケット３２を放電部材として用いる場合について説明したが、この考案はこれに限定されない。ブラケットとは別に放電部材を準備してもよい。
【符号の説明】
【００３５】
１４、１１４  フロントランプ
２０  筐体
２４  光源
２６  受光素子
３０  開閉部材
３１  ガイドレール
３２  ブラケット
３９  採光孔
５０  発光ダイオード（ＬＥＤ）
【図１】
0003176192.tif 000003
【図２】
0003176192.tif 000004
【図３】
0003176192.tif 000005
【図４】
0003176192.tif 000006